(57)【特許請求の範囲】
【請求項１】
浴室の洗い場に該洗い場の床から細長く起立する形態のタワー式水栓装置を設置して、該タワー式水栓装置に、円形の周面に且つ該周面の全周に亘り複数のミストノズルを有し、それらミストノズルから湯をミスト状に噴射するミスト噴射部を上部に設けたことを特徴とする浴室内設備。
【請求項２】
請求項１において、前記タワー式水栓装置には床から所定高さ位置に吐水口が設けてあるとともに、該吐水口の下側位置であって該吐水口からの注水を受ける位置に洗面器台が設けてあることを特徴とする浴室内設備。
【請求項３】
請求項１，２の何れかにおいて、前記タワー式水栓装置にはボデーシャワー用のシャワーノズルが上下に複数且つ横向きに設けてあることを特徴とする浴室内設備。
【請求項４】
請求項１〜３の何れかにおいて、前記タワー式水栓装置には足元シャワー用のシャワーノズルが床に近い位置に複数且つ横向きに設けてあることを特徴とする浴室内設備。
【請求項５】
請求項１〜４の何れかにおいて、前記タワー式水栓装置におけるタワー本体は少なくとも一部が手摺りとして構成してあることを特徴とする浴室内設備。
【請求項６】
請求項１〜５の何れかにおいて、前記タワー式水栓装置には上部に照明灯が設けてあることを特徴とする浴室内設備。
【発明の詳細な説明】
【０００１】
【発明の属する技術分野】
この発明は浴室内設備に関し、詳しくは主として水栓装置に特徴を有するものに関する。
【０００２】
【従来の技術及び発明が解決しようとする課題】
従来、浴室の水栓装置は主として壁に設置されており、この場合壁を掃除する際に水栓装置が邪魔となって掃除がし辛いといった問題の外、水栓装置を使用したり或いは水栓装置が備えるシャワーヘッドからシャワーを浴びたりする際に壁に向い合う状態となるため、のびのびと水栓装置を使用したりシャワーを浴びたりすることができないといった不都合があった。
更に浴室内を照明する照明灯が同じく壁に設置してあるため、この照明灯が壁を掃除する際の邪魔になるといった不都合もあった。
【０００３】
【課題を解決するための手段】
本発明の浴室内設備はこのような課題を解決するために案出されたものである。
而して請求項１のものは、浴室の洗い場に該洗い場の床から細長く起立する形態のタワー式水栓装置を設置して、該タワー式水栓装置に、円形の周面に且つ該周面の全周に亘り複数のミストノズルを有し、それらミストノズルから湯をミスト状に噴射するミスト噴射部を上部に設けたことを特徴とする。
【０００４】
請求項２のものは、請求項１において、前記タワー式水栓装置には床から所定高さ位置に吐水口が設けてあるとともに、該吐水口の下側位置であって該吐水口からの注水を受ける位置に洗面器台が設けてあることを特徴とする。
【０００５】
請求項３のものは、請求項１，２の何れかにおいて、前記タワー式水栓装置にはボデーシャワー用のシャワーノズルが上下に複数且つ横向きに設けてあることを特徴とする。
【０００６】
請求項４のものは、請求項１〜３の何れかにおいて、前記タワー式水栓装置には足元シャワー用のシャワーノズルが床に近い位置に複数且つ横向きに設けてあることを特徴とする。
【０００７】
請求項５のものは、請求項１〜４の何れかにおいて、前記タワー式水栓装置におけるタワー本体は少なくとも一部が手摺りとして構成してあることを特徴とする。
【０００８】
請求項６のものは、請求項１〜５の何れかにおいて、前記タワー式水栓装置には上部に照明灯が設けてあることを特徴とする。
【０００９】
【作用及び発明の効果】
以上のように請求項１のものは、浴室の洗い場から細長く起立する形態のタワー式水栓装置を浴室内に設置したもので、本発明によれば、従来のように壁に水栓装置を設置する必要がなくなり、従って壁がすっきりとして煩雑感がなくなるとともに、壁を掃除する際掃除がし易くなる。
またタワー式水栓装置を使用する際、壁を背にして浴室内部を向いた状態でタワー式水栓装置を使用することが可能となり、のびのびとタワー式水栓装置を使用して浴室内での動作を行うことができるようになる。
【００１０】
この請求項１のものでは、複数のミストノズルを有しそれらミストノズルから湯をミスト状に噴射するミスト噴射部をタワー式水栓装置の上部に設けており、このようにしておけば浴室内空間をミストサウナ空間として活用できるようになる。
【００１１】
尚、従来においても浴室内にミストノズルから湯をミスト状に噴射するミスト装置を設置することが行われているが、この場合足元から高温の湯をミスト状に噴射するものであり、危険を伴う問題がある。
しかるに請求項１のものでは、そのミスト噴射部がタワー式水栓装置における上部に設けてあるため、そのミスト噴射部から噴射されたミストが直接入浴者に当るのを回避することが可能であり、安全にミストサウナを楽しむことができる。
【００１２】
請求項２のものは、床から所定高さ位置においてタワー式水栓装置に吐水口を設けるとともに、その下側位置に洗面器台を設けたもので、このようにしておけば、洗面器に吐水口からの水（又は湯ないし混合水）を注いで使用するときの利便性が高まる効果が得られる。
【００１３】
請求項３のものは、タワー式水栓装置が洗い場の床から細長く起立する形態であることを利用して、そのタワー式水栓装置にボデーシャワー用のシャワーノズルを上下に複数且つ横向きに設けたもので、このようにしておけば、それら複数のシャワーノズルからボデーシャワーを浴びることができ、爽快感を味わうことができる。またそれらシャワー水によって効果的にボデーマッサージを行うことができる。
【００１４】
このタワー式水栓装置にはまた、足元シャワー用のシャワーノズルを床に近い位置に複数且つ横向きに設けておくことができる（請求項４）。
このようにして足元シャワー用のシャワーノズルを設けておいた場合、足元にもシャワーを浴びることができるといった主な効果の外に、床を掃除する際の掃除がし易くなり、更にまた特に冬季において入浴前に床を予め温めておくことができるといった効果が得られる。
【００１５】
請求項５のものは、タワー式水栓装置におけるタワー本体の少なくとも一部を手摺りとして構成したもので、この場合、例えば高齢者や足腰の弱い人等が浴室内の洗い場に立って各種動作を行うとき或いは浴室内でタワー式水栓装置を使用する際、その手摺りを手で持つことによって良好に姿勢保持し或いは体重を支えることができる。
【００１６】
請求項６のものは、タワー式水栓装置の上部に照明灯を設けたものである。
従来浴室内の照明灯は主として壁に設けられており、この場合前述したように浴室内の壁が煩雑な感じとなり、また壁の掃除もし辛くなるが、請求項６に従えば壁に設けるべき照明灯を省略でき、壁をすっきりとしたものとなすことができるとともに、壁の掃除もし易くなる効果が得られる。
更にまた照明灯が洗い場の上方に位置することから、照明効果も高まる利点が得られる。
【００１７】
【実施例】
次に本発明の実施例を図面に基づいて詳しく説明する。
図１及び図２において、１０は浴室の洗い場で、１２は洗い場１０に隣接して設置された浴槽である。
１４Ａ，１４Ｂ，１４Ｃ，１４Ｄは浴室の壁で、１６は浴室の出入口、１８はその出入口１６を開閉する扉である。
ここで壁１４Ｃにはミラー２０が取り付けられている。
【００１８】
浴室内にはまた、壁１４Ｃに沿ってカウンター２２が設置されている。
ここでカウンター２２は、その上面が浴槽１２の上面と面一面をなすような高さで設置されている。
本例ではこのカウンター２２の一部が段下がり形状に形成されており、同部分によって腰掛け（椅子）２４が構成されている。
【００１９】
図１に示しているように、洗い場１０の中央部には洗い場１０の床から細長く起立する形態のタワー式水栓装置２６が設置されている。
上記腰掛け２４は、このタワー式水栓装置２６に向き合う位置及び形態で設けられている。
【００２０】
このタワー式水栓装置２６は下端部にベースプレート２８を有しており、そのベースプレート２８において洗い場１０の床に固定されている。
このベースプレート２８の下側には洗い場１０の排水口３０が形成されている。
【００２１】
ベースプレート２８はその排水口３０上側の目皿としての機能も有しており、かかるベースプレート２８に排水通過用の多数の通孔３２が形成されている。
尚、図３において３３は洗い場１０からの排水を外部へと排出するための排水管である。
【００２２】
このタワー式水栓装置２６は、洗い場１０の床から天井に達する高さのタワー本体３４を有している。
このタワー本体３４は、その下部が断面長円形状の基部３６とされており、そしてその上側の部分がポール部３８とされている。
このポール部３８は、後述のボデーシャワー用のシャワーノズル６８を除いたほぼ大部分が手摺りとしての機能を有している。
【００２３】
基部３６の上端部には、図４にも詳しく示しているように吐水口４０と、吐水口４０からの吐水の温度調節及び吐水量調節のための操作部４２，４４が設けられている。
この基部３６にはまた、吐水口４０の下側位置において洗面器台４６が設けられており、吐水口４０からの注水を洗面器台４６の上に載せた洗面器４８にて受け得るようになっている。
ここで洗面器台４６は基部３６に設けたスライド溝５０に沿ってその高さ位置が上下に調節可能とされている。
【００２４】
基部３６には更に、洗い場１０の床に近い位置において足元シャワー用の複数のシャワーノズル５２が横向きに設けられている。
基部３６の内部には、図４の部分拡大図に示しているように給水管５４，給湯管５６が配管されており、それぞれが基部３６の上部に内蔵された水栓本体に接続されている。
尚これら給水管５４，給湯管５６は洗い場１０の床を貫通して基部３６の内部に入り込んでいる。
【００２５】
基部３６の内部にはまた、水栓本体からの混合水（又は水ないし湯）を供給するための供給管５８が配設されている。
上記足元シャワー用のシャワーノズル５２への混合水の供給は、この供給管５８を通じて行われる。
【００２６】
タワー本体３４、詳しくはポール部３８にはスライドバー６０がポール部３８に沿って上下にスライド可能に設けられている。
このスライドバー６０からはシャワーホース６２が延び出しており、その先端にシャワーヘッド６４が接続されている。
【００２７】
このスライドバー６０はシャワーフック６６を備えており、そこにシャワーヘッド６４が掛止されるようになっている。
即ちシャワーヘッド６４がスライドバー６０の上下スライドによって高さ調節可能とされている。
【００２８】
ポール部３８にはまた、ボデーシャワー用のシャワーノズル６８が上下に複数且つ横向きに設けられている。
而してこのシャワーノズル６８からシャワー水を横向きに噴射させることで、ボデーシャワーを浴びることができる。
【００２９】
タワー本体３４の上端部にはミスト噴射部７０が設けられている。
このミスト噴射部７０は複数のミストノズルを有しており、それらミストノズルから高温の湯、例えば６０℃程度の湯をミスト状（霧状）に噴射する。
本例ではこのミスト噴射部７０によって、浴室内空間をミストサウナ空間として利用することができる。
【００３０】
このミスト噴射部７０、更に上記ボデーシャワー用のシャワーノズル６８及びシャワーヘッド６４への混合水の供給は、ポール部３８内部に配設された供給管５８（図４の部分拡大図参照）を通じて行われる。
尚この供給管５８は本例では可撓性のホースにて構成されている。
このミスト噴射部７０の更に上側には照明灯７２が設けられており、この照明灯７２によって浴室内を照明できるようになっている。
【００３１】
かかる本例の浴室内設備によれば、従来のように壁に水栓装置を設置したり、またシャワーヘッドを掛止させるためのシャワーフックを設けたり或いは照明灯を設置したりする必要がなく、従って壁がすっきりとして煩雑感がなくなるとともに、壁を掃除する際掃除がし易くなる。
更に照明灯７２が洗い場１０の上方に位置することから、照明効果も高まる利点が得られる。
またタワー式水栓装置２６を使用する際、壁を背にして浴室内部を向いた状態でこれを使用することが可能となり、のびのびとタワー式水栓装置２６を使用して浴室内での動作を行うことができるようになる。
【００３２】
また本例ではタワー式水栓装置２６を洗い場１０の中央部に設置するとともに、これに合せて排水口３０を洗い場１０の中央部に配置していることから、洗い場１０の隅をすっきりとしたものとなすことができるとともに洗い場１０の掃除がし易く、また隅に汚れが溜まり難いといった効果が得られる。
【００３３】
また本例では床から所定高さ位置においてタワー式水栓装置２６に吐水口４０を設けるとともに、その下側位置に洗面器台４６を設けているため、洗面器４８に吐水口４０からの混合水を注いで使用するときの利便性が高まる効果が得られる。
【００３４】
加えてその洗面器台４６は上下に位置調節可能となしているため、洗面器４８の高さを最も使い易い高さに位置させることができ、例えば洗面器４８を床に直接置いて腰を大きく屈めて窮屈な姿勢でこれを用いるといった従来の問題を解決でき、楽な姿勢で洗面器４８を用いることができるようになる。
【００３５】
またシャワーフック６６を上下に位置調節可能としているため、シャワーヘッド６４を浴室使用者の背の高さ或いは使用目的等に応じて最適の高さに位置させ、そこからシャワー水を噴射することができる。
【００３６】
その他に、タワー式水栓装置２６にボデーシャワー用のシャワーノズル６８を設けているため、それらシャワーノズル６８からボデーシャワーを浴びることができ、爽快感を味わうことができる。またそれらシャワー水によって効果的にボデーマッサージを行うことができる。
【００３７】
更にタワー式水栓装置２６には床に近い位置に足元シャワー用のシャワーノズル５２が設けられているため、足元にもシャワーを浴びることができる外、床を掃除する際の掃除がし易くなり、更にまた特に冬季において入浴前に床を予め温めておくことができる。
【００３８】
また本例ではタワー本体３４内部に沿って給水管５４，給湯管５６，供給管５８等の水路を設けているため、ホース等水路形成部材が外部に露出することによって美観を損ねることがなく、タワー式水栓装置２６ないしその周りの外観を良好なものとなすことができる。
【００３９】
本例では、タワー本体３４の大部分を手摺りとして構成しており、従って例えば高齢者や足腰の弱い人等が浴室内でタワー式水栓装置２６を使用する際等にその手摺りを手で持つことによって良好に姿勢保持し或いは体重を支えることができる。
【００４０】
更に本例ではタワー式水栓装置２６に向き合う位置に椅子（腰掛け２４）を設置しているため、椅子（腰掛け２４）に腰掛けながらタワー式水栓装置２６に向き合ってシャワーを浴びたり、吐水口４０から吐水したり、ボデー洗いをしたり等各種動作を楽に行うことができるようになる。
【００４１】
以上本発明の実施例を詳述したがこれはあくまで一例示であり、本発明はその主旨を逸脱しない範囲において種々変更を加えた態様で構成可能である。
【図面の簡単な説明】
【図１】  本発明の一実施例である浴室内設備の斜視図である。
【図２】  同じ実施例を上方から見た斜視図である。
【図３】  同じ実施例の浴室内設備の要部拡大図である。
【図４】  同じ実施例の浴室内設備におけるタワー式水栓装置を単独で取り出して示す斜視図である。
【符号の説明】
１０  洗い場
２４  腰掛け（椅子）
２６  タワー式水栓装置
３０  排水口
３４  タワー本体
３８  ポール部（手摺り）
４０  吐水口
４６  洗面器台
５２，６８  シャワーノズル
５４  給水管
５６  給湯管
５８  供給管
６４  シャワーヘッド
６６  シャワーフック
７０  ミスト噴射部
７２  照明灯
【図１】
0004201102.tif 000002
【図２】
0004201102.tif 000003
【図３】
0004201102.tif 000004
【図４】
0004201102.tif 000005